(57)【要約】  本発明は、電話局側で一定の強度の幾多の波長のレーザ光を多重化及び光パワー分岐して加入者側に供給することにより、同じ波長の光源を多数の加入者が共有する波長分割多重化方式の受動型光加入者網(WDM-PON：Wavelength Division Multiplexing-Passive Optical Network)システムに関するものである。  本発明に係る波長分割多重化方式の受動型光加入者網システムは、各加入者に割り当てられた波長のレーザ光源を波長分割多重化及び光パワー分岐して提供する光源提供手段; 前記光パワー分岐された光源を利用して上向き信号用光源を伝送し、上向き光信号を受信して電気信号に変換する複数個の光線路縦断装置; 前記上向き信号用光源を前記上向き光信号に変換して伝送する複数個の光線路加入者装置; 及び前記光線路縦断装置から伝送される前記上向き信号用光源を加入者別に分離して前記光線路加入者装置に伝送するか、前記光線路加入者装置から伝送される加入者別の前記上向き光信号を波長分割多重化して前記光線路縦断装置に伝送する多重化／逆多重化手段を備えることを特徴とする。
2008543213.tif 000002
【特許請求の範囲】
【請求項１】
各加入者に割り当てられた波長のレーザ光源を波長分割多重化及び光パワー分岐して提供する光源提供手段;
前記光パワー分岐された光源を利用して上向き信号用光源を伝送し、上向き光信号を受信して電気信号に変換する複数個の光線路縦断装置;
前記上向き信号用光源を前記上向き光信号に変換して伝送する複数個の光線路加入者装置;及び
前記光線路縦断装置から伝送される前記上向き信号用光源を加入者別に分離して前記光線路加入者装置に伝送するか、前記光線路加入者装置から伝送される加入者別の前記上向き光信号を波長分割多重化して前記光線路縦断装置に伝送する多重化／逆多重化手段を備えることを特徴とする波長分割多重化方式の受動型光加入者網システム。
【請求項２】
前記光源提供手段は、
前記レーザ光源を供給する複数個のレーザダイオード;
前記複数個のレーザダイオードから供給される前記レーザ光源を波長分割多重化する第1多重化／逆多重化器;及び
前記波長分割多重化されたレーザ光源を前記光パワー分岐して前記複数個の光線路縦断装置のそれぞれに伝送する第1光分岐器を備えることを特徴とする請求項1に記載の波長分割多重化方式の受動型光加入者網システム。
【請求項３】
前記光線路縦断装置は、
前記波長分割多重化された上向き光信号を加入者別に分離する第2多重化／逆多重化器;
前記第2多重化／逆多重化器で加入者別に分離された上向き光信号を前記電気信号に変換する複数個の第1フォトダイオード;及び
前記第1光分岐器から伝送される前記上向き信号用光源を前記多重化／逆多重化手段に伝送し、前記多重化／逆多重化手段から伝送される前記波長分割多重化された上向き光信号を前記第2多重化／逆多重化器に伝送する第1光サーキュレーターを備えることを特徴とする請求項1または2に記載の波長分割多重化方式の受動型光加入者網システム。
【請求項４】
前記光線路加入者装置は、
前記多重化／逆多重化手段から伝送される前記加入者別に分離された上向き信号用光源を、入力される信号電流に従い前記上向き光信号に変換して前記多重化／逆多重化手段に伝送する第1光増幅器を備えることを特徴とする請求項3に記載の波長分割多重化方式の受動型光加入者網システム。
【請求項５】
前記光源提供手段は、
前記上向き信号用光源を提供する上向き信号用光源提供手段と;
下向き信号用光源を提供する下向き信号用光源提供手段とを備えることを特徴とする請求項1または2に記載の波長分割多重化方式の受動型光加入者網システム。
【請求項６】
前記光線路縦断装置は、
前記上向き信号用光源と、前記下向き信号用光源から生成された下向き光信号を波長分割多重化して前記多重化／逆多重化手段に伝送することを特徴とする請求項5に記載の波長分割多重化方式の受動型光加入者網システム。
【請求項７】
前記多重化／逆多重化手段は、
前記光線路縦断装置から伝送される前記下向き光信号を加入者別に分離して前記光線路加入者装置に伝送することを特徴とする請求項6に記載の波長分割多重化方式の受動型光加入者網システム。
【請求項８】
前記光線路加入者装置は、
前記多重化／逆多重化手段から伝送される加入者別に分離された前記上向き信号用光源と前記下向き光信号をそれぞれ分離して伝送する第3多重化／逆多重化器;
前記第3多重化／逆多重化器から伝送される前記上向き信号用光源を、入力される信号電流に従い前記上向き光信号に変換して前記第3多重化／逆多重化器に伝送する第2光増幅器;及び
前記第3多重化／逆多重化器から伝送される前記下向き光信号を電気信号に変換する第2フォトダイオードを備えることを特徴とする請求項7に記載の波長分割多重化方式の受動型光加入者網システム。
【請求項９】
前記光線路縦断装置は、
前記上向き信号用光源と前記下向き光信号を波長分割多重化して前記多重化／逆多重化手段に提供し、前記多重化／逆多重化手段から伝送される前記波長分割多重化された上向き光信号を伝送する第4多重化／逆多重化器;
前記波長分割多重化された上向き光信号を加入者別に分離する第5多重化／逆多重化器;
前記第5多重化／逆多重化器で加入者別に分離された上向き光信号を前記電気信号に変換する複数個の第3フォトダイオード;
前記上向き信号用光源を前記第4多重化／逆多重化器に伝送し、前記第4多重化／逆多重化器から受信される前記波長分割多重化された上向き光信号を前記第5多重化／逆多重化器に伝送する第2光サーキュレーター;
前記下向き信号用光源を加入者別に分離して伝送するか、加入者別の前記下向き光信号を波長分割多重化して伝送する第6多重化／逆多重化器;
前記第6多重化／逆多重化器から伝送される前記下向き信号用光源を、入力される信号電流に従い前記下向き光信号に変換して前記第6多重化／逆多重化器に伝送する第3光増幅器;及び
前記下向き信号用光源提供手段の第1光分岐器から伝送される前記下向き信号用光源を前記第6多重化／逆多重化器に伝送し、前記第6多重化／逆多重化器から伝送される前記波長分割多重化された下向き光信号を前記第4多重化／逆多重化器に伝送する第3光サーキュレーターを備えることを特徴とする請求項8に記載の波長分割多重化方式の受動型光加入者網システム。
【請求項１０】
前記光線路縦断装置は、
前記上向き信号用光源と前記下向き光信号を波長分割多重化して前記多重化／逆多重化手段に提供し、前記多重化／逆多重化手段から伝送される前記波長分割多重化された上向き光信号を伝送する第7多重化／逆多重化器;
前記上向き信号用光源を前記第7多重化／逆多重化器に伝送し、前記第7多重化／逆多重化器から受信される前記波長分割多重化された上向き光信号を伝送する第4光サーキュレーター;
前記下向き信号用光源提供手段の第1光分岐器から伝送される前記下向き信号用光源を伝送し、前記波長分割多重化された下向き光信号を前記第7多重化／逆多重化器に伝送する第5光サーキュレーター;
前記第4光サーキュレーターから伝送される前記波長分割多重化された上向き光信号と、前記第5光サーキュレーターから伝送される前記下向き信号用光源を波長分割多重化して伝送し、前記波長分割多重化された下向き光信号を前記第5光サーキュレーターに伝送する第8多重化／逆多重化器;
前記波長分割多重化された上向き光信号と前記下向き信号用光源を加入者別に分離し、加入者別の前記下向き光信号を波長分割多重化して前記第8多重化／逆多重化器に伝送する第9多重化／逆多重化器;
前記第9多重化／逆多重化器で加入者別に分離された前記下向き信号用光源と前記上向き光信号をそれぞれ分離して伝送する第10多重化／逆多重化器;
前記第10多重化／逆多重化器から伝送される前記下向き信号用光源を、入力される信号電流に従い前記下向き光信号に変換して前記第10多重化／逆多重化器に伝送する第4光増幅器;及び
前記第10多重化／逆多重化器から伝送される前記上向き光信号を電気信号に変換する第4フォトダイオードを備えることを特徴とする請求項8に記載の波長分割多重化方式の受動型光加入者網システム。
【請求項１１】
各加入者に割り当てられた波長のレーザ光源を光パワー分岐して上向き信号用光源を提供する上向き信号用光源提供手段;
各加入者に割り当てられた波長のレーザ光源を光パワー分岐して下向き信号用光源を提供する下向き信号用光源提供手段;
前記光パワー分岐された上向き信号用光源と、前記下向き信号用光源から生成された下向き光信号を波長分割多重化して伝送し、上向き光信号を受信して電気信号に変換する複数個の光線路縦断装置;
前記上向き信号用光源を前記上向き光信号に変換して伝送する複数個の光線路加入者装置;及び
前記光線路縦断装置から伝送される前記上向き信号用光源と前記下向き光信号を加入者別に分離して前記光線路加入者装置に伝送し、前記光線路加入者装置から伝送される加入者別の前記上向き光信号を波長分割多重化して前記光線路縦断装置に伝送する多重化／逆多重化手段を備えることを特徴とする波長分割多重化方式の受動型光加入者網システム。
【請求項１２】
前記上向き信号用光源提供手段と下向き信号用光源提供手段は、
前記レーザ光源を供給するDFBレーザダイオードと;
前記レーザ光源を前記光パワー分岐して前記複数個の光線路縦断装置のそれぞれに伝送する第1光分岐器とをそれぞれ備えることを特徴とする請求項11に記載の波長分割多重化方式の受動型光加入者網システム。
【請求項１３】
前記光線路加入者装置は、
前記多重化／逆多重化手段から伝送される加入者別に分離された前記上向き信号用光源と前記下向き光信号をそれぞれ分離して伝送する第1多重化／逆多重化器;
前記第1多重化／逆多重化器から伝送される前記上向き信号用光源を、入力される信号電流に従い前記上向き光信号に変換して前記第1多重化／逆多重化器に伝送する第1光増幅器;及び
前記第1多重化／逆多重化器から伝送される前記下向き光信号を電気信号に変換する第1フォトダイオードを備えることを特徴とする請求項11または12に記載の波長分割多重化方式の受動型光加入者網システム。
【請求項１４】
前記光線路縦断装置は、
前記下向き信号用光源を、入力される信号電流に従い前記下向き光信号に変換して提供する第2光増幅器;
前記上向き信号用光源提供手段の第1光分岐器から伝送される前記上向き信号用光源と、前記第2光増幅器から伝送される前記下向き光信号を波長分割多重化して伝送する第2多重化／逆多重化器;
前記下向き信号用光源提供手段の第1光分岐器から伝送される前記下向き信号用光源と前記上向き光信号を伝送する第3多重化／逆多重化器;
前記第3多重化／逆多重化器から伝送される前記上向き光信号を電気信号に変換する第2フォトダイオード;
前記第2多重化／逆多重化器から伝送される前記上向き信号用光源と前記下向き光信号、及び前記第3多重化／逆多重化器から伝送される前記下向き信号用光源を波長分割多重化して伝送し、前記波長分割多重化された前記上向き光信号と前記下向き信号用光源を加入者別に分離して伝送する第4多重化／逆多重化器;
前記第4多重化／逆多重化器から伝送される前記波長分割多重化された下向き信号用光源を伝送し、前記波長分割多重化された上向き光信号を前記第4多重化／逆多重化器に伝送する第5多重化／逆多重化器;
前記第4多重化／逆多重化器から伝送される前記波長分割多重化された前記上向き信号用光源と前記下向き光信号を伝送し、前記波長分割多重化された下向き信号用光源を前記第4多重化／逆多重化器に伝送する第6多重化／逆多重化器;
前記上向き信号用光源と前記下向き光信号を波長分割多重化して前記多重化／逆多重化手段に提供し、前記多重化／逆多重化手段から伝送される前記波長分割多重化された上向き光信号を伝送する第7多重化／逆多重化器;
前記第6多重化／逆多重化器から伝送される前記上向き信号用光源を前記第7多重化／逆多重化器に伝送し、前記第7多重化／逆多重化器から伝送される前記波長分割多重化された上向き光信号を前記第5多重化／逆多重化器に伝送する第1光サーキュレーター;及び
前記第6多重化／逆多重化器から伝送される前記下向き光信号を前記第7多重化／逆多重化器に伝送し、前記第5多重化／逆多重化器から伝送される前記波長分割多重化された下向き信号用光源を前記第6多重化／逆多重化器に伝送する第2光サーキュレーターを備えることを特徴とする請求項13に記載の波長分割多重化方式の受動型光加入者網システム。
【請求項１５】
前記多重化／逆多重化手段は、導波路型回折格子であることを特徴とする請求項14に記載の波長分割多重化方式の受動型光加入者網システム。
【請求項１６】
前記第4多重化／逆多重化器は、両方向導波路型回折格子であることを特徴とする請求項15に記載の波長分割多重化方式の受動型光加入者網システム。
【発明の詳細な説明】
【技術分野】
【０００１】
本発明は、波長分割多重化方式の受動型光加入者網(WDM-PON:Wavelength Division Multiplexing-Passive Optical Network)システムに関するもので、より詳しくは電話局側で一定の強度の幾多の波長のレーザ光を多重化及び光パワー分岐して加入者側へ供給することにより、同じ波長の光源を多数の加入者が共有する波長分割多重化方式の受動型光加入者網システムに関するものである。
【背景技術】
【０００２】
情報化社会に差し掛かりながら急激に増加している各種の広帯域マルチメディアサービスを多数の加入者に円滑に提供するよう光線路を加入者端まで直接連結する、いわゆるWDM-PONに対する関心が高まっている。WDM-PONは、通信サービス提供者である電話局(Central Office)の光線路縦断装置(OLT：Optical Line Terminal)と光線路加入者装置(ONU：Optical Network Unit)との間を受動光素子で連結し、多重化された各種の文字／オーディオ／ビデオデータを光信号に載せて各ONUに分配伝送するネットワークを言い、このようなWDM-PONは加入者に大容量の情報を提供することができるだけでなく、保安性に優れ性能の向上が容易である。
【０００３】
図1は、従来のWDM-PONシステムの構成を簡単に示したブロック構成図である。
【０００４】
図示されているように、従来のWDM-PONシステムは、電話局で各加入者別に別の波長の一定の強度の光源(Σλis)を提供すれば、加入者側の地域基地局(Remote node)に備えられているWDM多重化／逆多重化器(以下、「WDM MD」と記す)で各加入者別に波長を分離してONUに伝送する。波長が分離して伝送された光源(λis)は、ONUの反射型光増幅器に入射され光増幅器の入力電流に従い光が増幅または吸収されることにより変調される。変調された加入者光信号(λim)は、WDM MDで多重化されて(Σλim)電話局側に伝送される。
【０００５】
しかし、このような従来のWDM-PONシステムは一定の強度の光を用いずに信号が含まれている信号光を用いるので、同じ波長の光源を多数の加入者が用いることができない。したがって、電話局とONUとの間の光源、及び光信号の波長は全て加入者別に相違し、多数の加入者を収容しなければならない光加入者網ではこのようなシステムの具現に資源が多く必要となり、経済的にも費用が多くかかることになる。
【発明の開示】
【発明が解決しようとする課題】
【０００６】
本発明は、このような問題点を解決するため、一定の強度の幾多の波長のレーザ光を多重化及び光パワー分岐して提供することにより、WDM-PONシステムで多数の加入者が光源を共有するようにすることにその目的がある。
【課題を解決するための手段】
【０００７】
そのために、本発明に係る波長分割多重化方式の受動型光加入者網システムは、各加入者に割り当てられた波長のレーザ光源を波長分割多重化及び光パワー分岐して提供する光源提供手段; 前記光パワー分岐された光源を利用して上向き信号用光源を伝送し、上向き光信号を受信して電気信号に変換する複数個の光線路縦断装置; 前記上向き信号用光源を前記上向き光信号に変換して伝送する複数個の光線路加入者装置; 及び前記光線路縦断装置から伝送される前記上向き信号用光源を加入者別に分離して前記光線路加入者装置に伝送するか、前記光線路加入者装置から伝送される加入者別の前記上向き光信号を波長分割多重化して前記光線路縦断装置に伝送する多重化／逆多重化手段を備えることを特徴とする。
【０００８】
以下、本発明に係る好ましい実施形態に対し添付の図を参照しながら説明する。
【発明を実施するための最良の形態】
【０００９】
本発明はレーザダイオード(LD：Laser Diode)、WDM MD、光分岐器、フォトダイオード(PD：Photodiode)、光サーキュレーター及び光増幅器を組み合わせてWDM-PONシステムを具現することを特徴とする。なお、このような構成の具体的な説明は信号の流れに重点を置いて以下で説明することにする。先ず、第1実施形態を検討してみれば、その構成は図2に示されている通りである。
【００１０】
本発明の第1実施形態によれば、WDM MD1はLD1から供給されたi 加入者の波長に当る光源λiusと別の加入者用光源を波長分割多重化する。ここで光源は、DFB LD(Distributed FeedBack Laser Diode)のような単一モードLDから供給され、光源λiusはONU1から電話局へ伝送する上向き信号用光源である。
【００１１】
WDM MD1で波長分割多重化された上向き信号用光源Σλiusは、1×n光分岐器1で光パワー分岐されてそれぞれのOLT 1〜OLT nに供給される。ここでは、各OLT中の1つであるOLT j1を利用して説明する。
【００１２】
OLT j1に供給された各加入者の上向き信号用光源Σλiusは、光サーキュレーター(OC1)を経て加入者側のWDM MD3に伝送される。上向き信号用光源Σλiusは、WDM MD3で加入者別に分離されλiusとして加入者のONU1に伝送される。
【００１３】
ONU1に伝送された上向き信号用光源λiusは、ONU1に備えられている光増幅器1に伝送され、上向き信号用光源λiusと同じ波長の上向き光信号λiumに変換して出力される。ここで光増幅器1は、反射型半導体光増幅器である。
【００１４】
図3を利用して光増幅器1における動作を詳しく説明すれば次の通りである。
【００１５】
光導波路2を通じて光増幅器1の活性導波路4に入射された光源λiusは、高反射コーティング膜6で反射され再び活性導波路4を経て光導波路2に出力される。このとき入射された光源λiusは、活性導波路4に沿って進むあいだ、基板8に入力される信号電流(図示省略)に従って増幅される。すなわち、反射して出力される上向き光信号λiumは信号電流を輻射することになるので、結果的に光増幅器1は電気信号を入射された上向き信号用光源λiusと同じ波長の上向き光信号λiumに変換させて出力することになるのである。
【００１６】
一方、前述のように光増幅器1で発生した上向き光信号λiumは、上向き信号用光源λiusが伝送された光線路を通じてWDM MD3に伝送され、WDM MD3によって他の加入者等の上向き光信号と波長分割多重化されて電話局のOLT j1に伝送される。
【００１７】
波長分割多重化された上向き光信号Σλiumは、光サーキュレーター(OC1)の2番ポートに入力されて3番ポートに出力される。出力された上向き光信号Σλiumは、WDM MD2で各加入者別に分離されたあとPD1に入射されて電気信号に変換される。
【００１８】
前述したように、本発明に係る第1実施形態は、各加入者に割り当てられた波長の単一モードレーザ光源を波長分割多重化し、これを分岐して幾多のシステムが共有し、ONUで伝送する光信号の波長が電話局で供給する光源によって決定されることを特徴とする。
【００１９】
図4は、本発明に係るWDM-PONシステムの第2実施形態を示す図であり、電話局でONUに伝送する下向き光信号と、ONUで電話局に伝送する上向き光信号を同時に伝送するシステムの構成を示す。
【００２０】
本発明の第2実施形態によれば、WDM MD4はLD2から供給されたi 加入者の波長に当る光源λiusと、別の加入者用光源を波長分割多重化する。ここで光源は、DFB LDのような単一モードLDから供給され、光源λiusはONU2で電話局に伝送する上向き信号用光源である。
【００２１】
WDM MD4で波長分割多重化された上向き信号用光源Σλiusは1×n光分岐器2で光パワー分岐され、それぞれのOLT 1〜OLT nに供給される。ここでは、各OLT中の1つであるOLT j2を利用して説明する。
【００２２】
OLT j2に供給された各加入者の上向き信号用光源Σλiusは、光サーキュレーター(OC2)を経てWDM MD8に入射され、後述する下向き光信号Σλidmと波長分割多重化される。WDM MD8は、上向き信号用光源と後述する下向き光信号を波長分割多重化する。
【００２３】
WDM MD8で後述する下向き光信号Σλidmと多重化された上向き信号用光源Σλiusは、光線路を通じて加入者側のWDM MD9に伝送される。伝送された上向き信号用光源Σλiusは、WDM MD9で加入者別に分離されλiusとして加入者のONU2に伝送される。このとき、i 加入者の上向き信号用光源λiusと後述する下向き光信号λidmは同じ出力ポートに分離されるのが好ましい。
【００２４】
ONU2に伝送された上向き信号用光源λiusは、ONU2内のWDM MD10により後述する下向き光信号λidmと分離され光増幅器3に伝送される。光増幅器3は、図3で説明したように上向き光信号λiumを生成する。
【００２５】
なお、光増幅器3で生成された上向き光信号λiumは、WDM MD10を通じてWDM MD9に伝送され、WDM MD9により他の加入者等の上向き光信号と波長分割多重化されて電話局のOLT j2に伝送される。
【００２６】
波長分割多重化された上向き光信号Σλiumは、WDM MD8を経て光サーキュレーター(OC2)の2番ポートに入力されて3番ポートに出力される。出力された上向き光信号Σλiumは、WDM MD5で各加入者別に分離されたあとλiumとしてPD2に入射されて電気信号に変換される。
【００２７】
一方、本発明の第2実施形態によれば、i 加入者の下向き信号用光源λidsは他の加入者の下向き信号用光源とともにWDM MD6で波長分割多重化される。波長分割多重化された下向き信号用光源Σλidsは、1×n光分岐器3で光パワー分岐されたあと光サーキュレーター(OC3)を通じてWDM MD7に伝送される。このとき、下向き信号用光源λidsの波長は、前述のWDM MD9でi 加入者の上向き信号用光源λiusと、後述する下向き光信号λidmが同じ出力ポートに分離されるように決定される。
【００２８】
波長分割多重化された下向き信号用光源Σλidsは、WDM MD7でi 加入者の光源λidsに分離され光増幅器2に伝送される。そうすると、光増幅器2は図3で説明したように、下向き光信号λidmを生成してWDM MD7に伝送し、WDM MD7は下向き光信号λidmを他の加入者の下向き光信号と波長分割多重化する。
【００２９】
波長分割多重化された下向き光信号Σλidmは、光サーキュレーター(OC3)を通じてWDM MD8に入射され、前述の上向き信号用光源Σλiusと波長分割多重化され、引き続き加入者側のWDM MD9に伝送される。
【００３０】
WDM MD9は、伝送された下向き光信号Σλidmを加入者別に分離しλidmとして加入者のONU2に伝送する。
【００３１】
ONU2に伝送された下向き光信号λidmは、ONU2内のWDM MD10により前述の上向き信号用光源λiusと分離され、PD3に伝送されて電気信号に変換される。
【００３２】
前述のように、本発明に係る第2実施形態は、第1実施形態で上向き信号用光源と上向き光信号に対する構成には変更なく、下向き信号用光源と下向き光信号の伝送のための構成をさらに備えて組み合わせたことを特徴とする。
【００３３】
以上、本発明に係る第2実施形態は、OLTで各加入者別の光信号と光源の多重化または逆多重化のため2つのWDM MD(WDM MD5、WDM MD7)を用いるが、図5は本発明に係る第3実施形態として各加入者別の光信号と光源の多重化または逆多重化のため1つのWDM MD(WDM MD14)を用いるWDM-PONシステムの構成を示す。このような第3実施形態において、下向き信号用光源、下向き光信号、上向き信号用光源及び上向き光信号に対する波長は、後述するWDM MD14とWDM MD17で分離されるとき、同じ加入者に対し同じポートに分離されるように決定される。
【００３４】
本発明の第3実施形態によれば、WDM MD11はLD4から供給されたi 加入者の波長に当る光源λiusと別の加入者用光源を波長分割多重化する。ここで光源は、DFB LDのような単一モードLDから供給され、光源λiusはONU3で電話局に伝送する上向き信号用光源である。
【００３５】
WDM MD11で波長分割多重化された上向き信号用光源Σλiusは、1×n光分岐器4で光パワー分岐されてそれぞれのOLT 1〜OLT nに供給される。ここでは、各OLT中の1つであるOLT j3を利用して説明する。
【００３６】
OLT j3に供給された各加入者の上向き信号用光源Σλiusは光サーキュレーター(OC4)を経てWDM MD16に入射され、後述する下向き光信号Σλidmと波長分割多重化される。WDM MD16は上向き信号用光源と後述する下向き光信号を波長分割多重化する。
【００３７】
WDM MD16で後述する下向き光信号Σλidmと多重化された上向き信号用光源Σλiusは、光線路を通じて加入者側のWDM MD17に伝送される。伝送された上向き信号用光源Σλiusは、WDM MD17で加入者別に分離されλiusとして加入者のONU3に伝送される。このとき、i 加入者の上向き信号用光源λiusと後述する下向き光信号λidmは同じ出力ポートに分離される。
【００３８】
ONU3に伝送された上向き信号用光源λiusは、ONU3内のWDM MD18により後述する下向き光信号λidmと分離され光増幅器5に伝送される。光増幅器5は、図3で説明したように上向き光信号λiumを生成する。
【００３９】
なお、光増幅器5で生成された上向き光信号λiumはWDM MD18を通じてWDM MD17に伝送され、WDM MD17により他の加入者等の上向き光信号と波長分割多重化されて電話局のOLT j3に伝送される。
【００４０】
波長分割多重化されてOLT j3に伝送された上向き光信号Σλiumは、WDM MD16を経て光サーキュレーター(OC4)の2番ポートに伝送され3番ポートに出力される。出力された上向き光信号Σλiumは、WDM MD15で後述する下向き信号用光源Σλidsと波長分割多重化されてWDM MD14の2番ポートに伝送される。
【００４１】
WDM MD14は、入力された上向き光信号Σλiumと後述する下向き信号用光源Σλidsを各加入者別に分離し、同じ加入者に対する上向き光信号λiumと下向き信号用光源λidsは同じポート(ここでは1番ポート)に出力する。WDM MD14で後述する下向き信号用光源λidsのように出力された上向き光信号λiumは、WDM MD13で後述する下向き信号用光源λidsと分離されたあと、PD4に伝送されて電気信号に変換される。
【００４２】
一方、第3実施形態によれば、LD5で供給された下向き信号用光源λidsは他の加入者の下向き信号用光源とWDM MD12で波長分割多重化され1×n 光分岐器5で光パワー分岐されたあと、光サーキュレーター(OC5)を通じてWDM MD15に伝送される。
【００４３】
WDM MD15は、伝送された下向き信号用光源Σλidsを前述の上向き光信号Σλiumと波長分割多重化してWDM MD14に伝送する。
【００４４】
WDM MD14は前述のように、各加入者別に上向き光信号λiumと下向き信号用光源λidsを同じポート(ここでは1番ポート)に分類して出力する。WDM MD14で上向き光信号λiumのように出力された下向き信号用光源λidsは、WDM MD13で上向き光信号λiumと分離されたあと光増幅器4に伝送される。光増幅器4は、図3で説明したように下向き光信号λidmを生成して出力する。
【００４５】
光増幅器4で生成された下向き光信号λidmは、WDM MD13を経てWDM MD14で他の加入者の下向き光信号と波長分割多重化され、WDM MD15と光サーキュレーター(OC5)を経てWDM MD16に伝送される。
【００４６】
WDM MD16に伝送された下向き光信号Σλidmは、前述の上向き信号用光源Σλiusと波長分割多重化され光線路を通じて加入者側のWDM MD17に伝送される。
【００４７】
WDM MD17は、入力される下向き光信号Σλidmと前述の上向き信号用光源Σλiusを加入者別に同じポートに分離する。加入者別に分離された下向き光信号λidmは前述の上向き信号用光源λiusとともにONU3に伝送され、WDM MD18で前述の上向き信号用光源λiusと分離されたあとPD5に伝送されて電気信号に変換される。
【００４８】
前述のように、第3実施形態におけるWDM MD13、WMD MD15、WDM MD16及びWDM MD18は、下向き信号用光源や下向き光信号を上向き信号用光源や上向き光信号と波長分割多重化するか逆多重化する機能を行ない、WDM MD14とWDM MD17は各加入者別の光源や光信号を多重化するか逆多重化する機能を行なう。
【００４９】
図6は、本発明の第4実施形態に係るWDM-PONシステムの構成を示す図である。
【００５０】
本発明の第4実施形態によれば、電話局でONUに供給するための上向き信号用光源λiusは、幾多のシステムで共有することができるよう1×n光分岐器6で光パワー分岐される。ここで上向き信号用光源は、一定の大きさの単一モードLDとしてDFB LDを用いる。
【００５１】
1×n光分岐器6で1/nに光パワー分岐されたi 加入者に対する上向き信号用光源λiusは、WDM MD19で後述する下向き光信号λidmと波長分割多重化され両方向導波路型回折格子(Bidirectional Arrayed Waveguide Grating)(BD AWG)のi番目ポート(ここでは4番ポート)に伝送される。両方向導波路型回折格子(BD AWG)はWDM MDの一種で、それぞれ別のポートに入力される幾多の波長を多重化して1つのポートに出力するか、1つのポートに入力される多重化した幾多の波長を分離しそれぞれの波長をそれぞれのポートに出力する機能をする。
【００５２】
両方向導波路型回折格子(BD AWG)に伝送された上向き信号用光源λiusは、他の加入者の上向き信号用光源と波長分割多重化して出力される。
【００５３】
波長分割多重化された上向き信号用光源Σλiusは、WDM MD20に伝送され後述する下向き光信号Σλidmと分離されたあと、光サーキュレーター(OC7)を通じてWDM MD22に伝送される。
【００５４】
WDM MD22に伝送された上向き信号用光源Σλiusは、加入者側の導波路型回折格子(AWG)に伝送されて加入者別に分離され、λiusとして2番ポートに出力されONUに伝送される。
【００５５】
ONUに伝送された上向き信号用光源λiusは、ONU内のWDM MD24の1番ポートに入力され、後述する下向き光信号λidmと分離されて2番ポートに出力される。WDM MD24の2番ポートに出力された上向き信号用光源λiusは、光増幅器7に伝送されて上向き光信号λiumに変換される。
【００５６】
前記のように生成された上向き光信号λiumは、WDM MD24を経て導波路型回折格子(AWG)の2番ポートに入力され、他のポートに入力された他の加入者の上向き光信号と波長分割多重化されて1番ポートに出力される。
【００５７】
波長分割多重化された多数の加入者の上向き光信号Σλiumは、電話局に位置したOLTに伝送され、OLT内のWDM MD22と光サーキュレーター(OC7)及びWDM MD21を経て両方向導波路型回折格子(BD AWG)の3番ポートに入力され、各加入者の波長別に分離されλiumとして1番ポートに出力される。
【００５８】
両方向導波路型回折格子(BD AWG)の1番ポートに出力された上向き光信号λiumは、WDM MD23を経てPD6に伝送されPD6で電気信号に変換される。WDM MD23は、上向き光信号λiumと後述する下向き信号用光源λidsを波長分割多重化または逆多重化させる。
【００５９】
一方、DFB LD2で供給された下向き信号用光源λidsは、1×n光分岐器7で光パワー分岐されてWDM MD23に伝送される。WDM MD23は前述のように、上向き光信号λiumと下向き信号用光源λidsを波長分割多重化または逆多重化させる。
【００６０】
WDM MD23で出力された下向き信号用光源λidsは、両方向導波路型回折格子(BD AWG)の1番ポートに入力され、他のポートに入力された他の加入者の下向き信号用光源と波長分割多重化して3番ポートに出力される。
【００６１】
波長分割多重化された下向き信号用光源Σλidsは、WDM MD21と光サーキュレーター(OC6)及びWDM MD20を経て両方向導波路型回折格子(BD AWG)の2番ポートに入力され、各加入者用光源に分離されλidsとして4番ポートに出力される。
【００６２】
両方向導波路型回折格子(BD AWG)の4番ポートに出力された各加入者の下向き信号用光源λidsはWDM MD19に伝送される。
【００６３】
WDM MD19で出力された下向き信号用光源λidsは、光増幅器6で図3で説明したように、下向き光信号λidmに変換して出力される。
【００６４】
前記のように生成された下向き光信号λidmは、WDM MD19に入射され前述の上向き信号用光源λiusと波長分割多重化して出力され、これは再び両方向導波路型回折格子(BD AWG)の4番ポートに入力され、他のポートに入力された他の加入者の下向き光信号と波長分割多重化されΣλidmとして2番ポートに出力される。
【００６５】
波長分割多重化された下向き光信号Σλidmは、WDM MD20により前述の上向き信号用光源Σλiusと分離され、光サーキュレーター(OC6)を経てWDM MD22で再び前述の上向き信号用光源Σλiusと多重化され、加入者側の導波路型回折格子(AWG)に伝送されて加入者別に分離され、λidmとして2番ポートに出力されONUに伝送される。
【００６６】
ONUに伝送された下向き光信号λidmは、ONU内のWDM MD24の1番ポートに入力され、前述の上向き信号用光源λiusと分離され1番ポートに出力される。WDM MD24の1番ポートに出力された下向き光信号λidmは、PD7に伝送され電気信号に変換される。
【００６７】
前述のような第4実施形態は、第1実施形態乃至第3実施形態のようにDFB LDの後段にWDM MDと光分岐器を順次備えたのではなく、DFB LDの後端にすぐ光分岐器を備えて特定の加入者用に波長が割り当てられた信号用光源を光パワー分岐することにより、多数の加入者が単一レーザを共有して用いることができるようにすることを特徴とする。
【００６８】
前述の第1実施形態乃至第4実施形態のように、本発明は各加入者に割り当てられた波長の単一モードレーザ光源を波長分割多重化し、これを光パワー分岐して幾多のシステムが共有することを特徴とする。
【産業上の利用可能性】
【００６９】
前述のように、本発明は各加入者に割り当てられた波長の単一モードレーザ光源を波長分割多重化し、これを光パワー分岐して幾多のシステムが共有することにより、システム構築に必要な資源と費用を節減するという効果がある。
【００７０】
なお、本発明はONUで伝送する光信号の波長が電話局で供給する光源により決定されるので、ONUでは波長の管理が必要でないという管理の便宜性も提供する。
【図面の簡単な説明】
【００７１】
【図１】従来のWDM-PONシステムの構成を示す図である。
【図２】本発明に係る第1実施形態の構成を示す図である。
【図３】本発明に用いられる光増幅器の一例を示す図である。
【図４】本発明に係る第2実施形態の構成を示す図である。
【図５】本発明に係る第3実施形態の構成を示す図である。
【図６】本発明に係る第4実施形態の構成を示す図である。
【図１】
2008543213.tif 000003
【図２】
2008543213.tif 000004
【図３】
2008543213.tif 000005
【図４】
2008543213.tif 000006
【図５】
2008543213.tif 000007
【図６】
2008543213.tif 000008
【手続補正書】
【提出日】平成19年3月4日(2007.3.4)
【手続補正１】
【補正対象書類名】特許請求の範囲
【補正対象項目名】全文
【補正方法】変更
【補正の内容】
【特許請求の範囲】
【請求項１】
データを有しない上向き信号用光源を生成し、これらを波長分割多重化及び光分岐して出力する光源提供手段と、
前記波長分割多重化及び光分岐された上向き信号用光源を加入者側に伝送し、前記上向き信号用光源が変調された上向き光信号が前記加入者側から受信されれば、これを電気信号に変換する複数の光線路縦断装置と、
前記光線路縦断装置からの上向き信号用光源を波長別に分離して光線路加入者装置に伝送し、前記光線路加入者装置からの前記上向き光信号を波長分割多重化して前記光線路縦断装置に伝送する複数の多重化／逆多重化手段と、を備える波長分割多重化方式の受動型光加入者網システム。
【請求項２】
前記光源提供手段は、
前記上向き信号用光源を生成する複数のレーザダイオードと、
前記複数のレーザダイオードからの前記上向き信号用光源を波長分割多重化する多重化手段と、
前記多重化された前記上向き信号用光源を光パワー分岐して前記複数の光線路縦断装置に伝送する光分岐器と、を備えることを特徴とする請求項1に記載の波長分割多重化方式の受動型光加入者網システム。
【請求項３】
前記光線路縦断装置は、
前記多重化された上向き光信号を波長別に分離する逆多重化手段と、
前記逆多重化手段から波長別に分離された上向き光信号を電気信号に変換する複数のフォトダイオードと、
前記光源提供手段から光分岐された前記上向き信号用光源を前記多重化／逆多重化手段に伝送し、前記多重化／逆多重化手段からの前記多重化された上向き光信号を前記逆多重化手段に伝送する光サーキュレータと、を備えることを特徴とする請求項1または2に記載の波長分割多重化方式の受動型光加入者網システム。
【請求項４】
前記上向き光信号は、
対応する前記上向き信号用光源と同じ波長を有することを特徴とする請求項1に記載の波長分割多重化方式の受動型光加入者網システム。
【請求項５】
各加入者別の上向き信号用光源を生成し、これを波長分割多重化及び光分岐して出力する第1光源提供手段と、
各加入者別の下向き信号用光源を生成し、これを波長分割多重化及び光分岐して出力する第2光源提供手段と、
前記第1光源提供手段からの前記上向き信号用光源を加入者側に伝送し、前記上向き信号用光源が変調された上向き光信号を受信する時にこれを電気信号に変換し、前記第2光源提供手段からの前記下向き信号用光源を下向き光信号として変調して前記加入者側に伝送する複数の光線路縦断装置と、
前記光線路縦断装置からの上向き信号用光源及び下向き信号用光源を波長別に分離して光線路加入者装置に伝送し、前記光線路加入者装置からの前記上向き光信号を波長分割多重化して前記光線路縦断装置に伝送する複数の第1多重化／逆多重化手段と、を備える波長分割多重化方式の受動型光加入者網システム。
【請求項６】
前記光線路縦断装置は、
前記第2光源提供手段から多重化及び光分岐された前記下向き信号用光源を波長別に分離したあと、前記分離された光源を変調して下向き光信号を生成し、前記下向き光信号を波長分割多重化して前記加入者側に伝送することを特徴とする請求項5に記載の波長分割多重化方式の受動型光加入者網システム。
【請求項７】
前記光線路縦断装置は、
前記多重化された上向き光信号を波長別に分離する逆多重化手段と、
前記逆多重化手段から波長別に分離された上向き光信号を電気信号に変換する複数の第1フォトダイオードと、
前記第1光源提供手段から光分岐された前記上向き信号用光源を前記多重化／逆多重化手段に伝送し、前記多重化／逆多重化手段からの前記多重化された上向き光信号を前記逆多重化手段に伝送する第1光サーキュレータと、
前記波長別に分離された下向き信号用光源を変調して前記下向き光信号を生成する複数の第1光増幅器と、
前記第2光源提供手段からの前記下向き信号用光源を波長別に分離して前記光増幅器に伝送し、前記光増幅器で変調された前記下向き光信号を波長分割多重化する第2多重化／逆多重化手段と、
前記第2光源提供手段からの前記下向き信号用光源を前記第2多重化／逆多重化手段に伝送し、前記第2多重化／逆多重化手段で多重化された前記下向き光信号を前記第1多重化／逆多重化手段に伝送する第2光サーキュレータと、を備えることを特徴とする請求項6に記載の波長分割多重化方式の受動型光加入者網システム。
【請求項８】
前記光線路縦断装置は、
前記第1光サーキュレータからの前記上向き信号用光源と前記第2光サーキュレータからの前記下向き光信号を波長分割多重化して前記第1多重化／逆多重化手段に伝送し、前記第1多重化／逆多重化手段からの前記上向き光信号を前記第1光サーキュレータに伝送する第3多重化／逆多重化手段をさらに備えることを特徴とする請求項7に記載の波長分割多重化方式の受動型光加入者網システム。
【請求項９】
前記光線路縦断装置は、
前記第1多重化／逆多重化手段からの上向き光信号と前記第2光源提供手段からの下向き信号用光源を波長分割多重化し、変調及び多重化された下向き光信号を前記第1多重化／逆多重化手段に伝送する第4多重化／逆多重化手段と、
前記第4多重化／逆多重化手段で多重化された上向き光信号と前記下向き信号用光源を波長別に分離し、変調及び多重化された下向き光信号を前記第4多重化／逆多重化手段に伝送する第5多重化／逆多重化手段と、
前記第5多重化／逆多重化手段から波長別に分離された前記下向き信号用光源を変調して前記下向き光信号を生成する複数の第2光増幅器と、
前記第5多重化／逆多重化手段から波長別に分離された前記上向き光信号を電気信号に変換する複数の第2フォトダイオードと、
前記第2光源提供手段からの前記下向き信号用光源を前記第4多重化／逆多重化手段に伝送し、前記第4多重化／逆多重化手段からの下向き光信号を前記第1多重化／逆多重化手段に伝送する第3光サーキュレータと、
前記第1光源提供手段からの前記上向き信号用光源を前記第1多重化／逆多重化手段に伝送し、前記第1多重化／逆多重化手段への前記上向き光信号を前記第4多重化／逆多重化手段に伝送する第4光サーキュレータと、を備えることを特徴とする請求項6に記載の波長分割多重化方式の受動型光加入者網システム。
【請求項１０】
前記光線路縦断装置は、
前記第3光サーキュレータからの前記下向き光信号と前記第4光サーキュレータからの前記上向き信号用光源を波長分割多重化して前記第1多重化／逆多重化手段に伝送し、前記第1多重化／逆多重化手段からの前記上向き光信号を前記第4光サーキュレータに伝送する第5多重化／逆多重化手段をさらに備えることを特徴とする請求項9に記載の波長分割多重化方式の受動型光加入者網システム。
【請求項１１】
各加入者別の上向き信号用光源を生成し、これを光パワー分岐する複数の第1光源提供手段と、
各加入者別の下向き信号用光源を生成し、これを光パワー分岐する複数の第2光源提供手段と、
前記複数の第1光源提供手段からの前記上向き信号用光源を波長分割多重化して加入者側に伝送し、前記上向き信号用光源が変調された上向き光信号を受信する時にこれを電気信号に変換し、前記複数の第2光源提供手段からの前記下向き信号用光源を下向き光信号として変調して前記加入者側に伝送する複数の光線路縦断装置と、
前記光線路縦断装置からの上向き信号用光源及び下向き信号用光源を波長別に分離して光線路加入者装置に伝送し、前記光線路加入者装置からの前記上向き光信号を波長分割多重化して前記光線路縦断装置に伝送する複数の第1多重化／逆多重化手段と、を備える波長分割多重化方式の受動型光加入者網システム。
【請求項１２】
前記第1光源提供手段及び前記第2光源提供手段は、
一定の大きさのレーザ光源を生成するレーザダイオードと、
前記レーザダイオードからの光源を光パワー分岐して前記複数の光線路縦断装置に伝送する光分岐器と、を備えることを特徴とする請求項11に記載の波長分割多重化方式の受動型光加入者網システム。
【請求項１３】
前記光線路縦断装置は、
各加入者別の下向き信号用光源を変調して下向き光信号を生成する複数の光増幅器と、
各加入者別の上向き光信号を電気信号に変換する複数のフォトダイオードと、
前記複数の第1光源提供手段からの前記上向き信号用光源と前記複数の光増幅器で変調された下向き光信号を波長分割多重化し、前記第1多重化／逆多重化手段からの多重化された前記上向き光信号を波長別に分離して前記複数のフォトダイオードに伝送し、前記複数の第2光源提供手段からの前記下向き信号用光源を波長分割多重化及び逆多重化して前記複数の光増幅器に伝送する第2多重化／逆多重化手段と、
前記第2多重化／逆多重化手段で多重化された前記上向き信号用光源と前記下向き光信号を逆多重化し、前記第2多重化／逆多重化手段で多重化された前記下向き信号用光源を前記第2多重化／逆多重化手段に伝送する第3多重化／逆多重化手段と、
前記第3多重化／逆多重化手段で逆多重化された前記下向き光信号を前記第1多重化／逆多重化手段に伝送し、前記第2多重化／逆多重化手段で多重化された前記下向き信号用光源を前記第3多重化／逆多重化手段に伝送する第1光サーキュレータと、
前記第3多重化／逆多重化手段で逆多重化された前記上向き信号用光源を前記第1多重化／逆多重化手段に伝送し、前記第1多重化／逆多重化手段からの前記上向き光信号を前記第2多重化／逆多重化手段に伝送する第2光サーキュレータと、を備えることを特徴とする請求項11または12に記載の波長分割多重化方式の受動型光加入者網システム。
【請求項１４】
前記光線路縦断装置は、
前記第1光サーキュレータからの前記下向き光信号と前記第2光サーキュレータからの前記上向き信号用光源を波長分割多重化して前記第1多重化／逆多重化手段に伝送し、前記第1多重化／逆多重化手段からの前記上向き光信号を前記第2光サーキュレータに伝送する第4多重化／逆多重化手段をさらに備えることを特徴とする請求項13に記載の波長分割多重化方式の受動型光加入者網システム。
【請求項１５】
前記第2多重化／逆多重化手段は、
両方向導波路型回折格子であることを特徴とする請求項13に記載の波長分割多重化方式の受動型光加入者網システム。
【請求項１６】
前記第1多重化／逆多重化手段は、
導波路型回折格子であることを特徴とする請求項11に記載の波長分割多重化方式の受動型光加入者網システム。
【手続補正２】
【補正対象書類名】明細書
【補正対象項目名】０００５
【補正方法】変更
【補正の内容】
【０００５】
しかし、このような従来のWDM-PONシステムは、加入者光信号(上向き光信号)(λim)を生成するため信号が含まれている信号光(下向き光信号)を用いるので、同じ波長の光源を多数の加入者が用いることができない。したがって、電話局とONUとの間の光源、及び光信号の波長は全て加入者別に相違し、多数の加入者を収容しなければならない光加入者網ではこのようなシステムの具現に資源(波長)が多く必要となり、経済的にも費用が多くかかることになる。
【手続補正３】
【補正対象書類名】明細書
【補正対象項目名】０００６
【補正方法】変更
【補正の内容】
【０００６】
本発明は、このような問題点を解決するため、データを有しない互いに異なる波長の光源等を多重化及び光パワー分岐して加入者側に提供することにより、WDM-PONシステムで多数の加入者が同じ波長の光源を共有することができるようにすることにその目的がある。
【手続補正４】
【補正対象書類名】明細書
【補正対象項目名】０００９
【補正方法】変更
【補正の内容】
【０００９】
本発明はレーザダイオード(LD：Laser Diode)、WDM MD、光分岐器、フォトダイオード(PD：Photodiode)、光サーキュレータ及び光増幅器を組み合わせてWDM-PONシステムを具現することを特徴とする。なお、このような構成の具体的な説明は信号の流れに重点を置いて以下で説明することにする。先ず、第1実施形態を検討してみれば、その構成は図2に示されている通りである。
【手続補正５】
【補正対象書類名】明細書
【補正対象項目名】００１０
【補正方法】変更
【補正の内容】
【００１０】
本発明の第1実施形態によれば、WDM MD1はLD1から供給されたi 加入者の波長に当る光源λiusと別の加入者用光源を波長分割多重化する。ここで光源は、DFB LD(Distributed FeedBack Laser Diode)のような単一モードLDから供給され、光源λiusはONU1から電話局へ伝送する上向き光信号を生成するためのソース光である上向き信号用光源である。
【手続補正６】
【補正対象書類名】明細書
【補正対象項目名】００１１
【補正方法】変更
【補正の内容】
【００１１】
WDM MD1で波長分割多重化された上向き信号用光源Σλiusは、1×n光分岐器1で光パワー分岐されてそれぞれのOLT 1〜OLT nに供給される。即ち、それぞれのOLT 1〜OLT nは同じ波長の光源等を提供されることになる。ここでは、各OLT中の1つであるOLT j1を利用して説明する。
【手続補正７】
【補正対象書類名】明細書
【補正対象項目名】００１２
【補正方法】変更
【補正の内容】
【００１２】
OLT j1に供給された各加入者の上向き信号用光源Σλiusは、光サーキュレータ(OC1)を経て加入者側のWDM MD3に伝送される。上向き信号用光源Σλiusは、WDM MD3で加入者別に分離されλiusとして加入者のONU1に伝送される。
【手続補正８】
【補正対象書類名】明細書
【補正対象項目名】００１７
【補正方法】変更
【補正の内容】
【００１７】
波長分割多重化された上向き光信号Σλiumは、光サーキュレータ(OC1)の2番ポートに入力されて3番ポートに出力される。出力された上向き光信号Σλiumは、WDM MD2で各加入者別に分離されたあとPD1に入射されて電気信号に変換される。
【手続補正９】
【補正対象書類名】明細書
【補正対象項目名】００１８
【補正方法】変更
【補正の内容】
【００１８】
前述したように、本発明に係る第1実施形態は、同じ波長の上向き信号用光源Σλiusを多数のOLT(OLT 1〜OLT n)が共有するようにすることにより、互いに異なるOLTに連結される互いに異なる加入者等が同じ波長の光源を共有することができるようにする。したがって、加入者の数が増加しOLTの数が増加する場合も、増加したOLTに同じ波長の上向き信号用光源を提供すればよいので、追加的な波長が必要なくなる。
【手続補正１０】
【補正対象書類名】明細書
【補正対象項目名】００２０
【補正方法】変更
【補正の内容】
【００２０】
本発明の第2実施形態によれば、WDM MD4はLD2から供給されたi 加入者の波長に当る光源λiusと、別の加入者用光源を波長分割多重化する。ここで光源は、DFB LDのような単一モードLDから供給され、光源λiusはONU2で電話局に伝送する上向き光信号を生成するための上向き信号用光源である。
【手続補正１１】
【補正対象書類名】明細書
【補正対象項目名】００２２
【補正方法】変更
【補正の内容】
【００２２】
OLT j2に供給された各加入者の上向き信号用光源Σλiusは、光サーキュレータ(OC2)を経てWDM MD8に入射され、後述する下向き光信号Σλidmと波長分割多重化される。WDM MD8は、上向き信号用光源と後述する下向き光信号を波長分割多重化する。
【手続補正１２】
【補正対象書類名】明細書
【補正対象項目名】００２６
【補正方法】変更
【補正の内容】
【００２６】
波長分割多重化された上向き光信号Σλiumは、WDM MD8を経て光サーキュレータ(OC2)の2番ポートに入力されて3番ポートに出力される。出力された上向き光信号Σλiumは、WDM MD5で各加入者別に分離されたあとλiumとしてPD2に入射されて電気信号に変換される。
【手続補正１３】
【補正対象書類名】明細書
【補正対象項目名】００２７
【補正方法】変更
【補正の内容】
【００２７】
一方、本発明の第2実施形態によれば、i 加入者の下向き信号用光源λidsは他の加入者の下向き信号用光源とともにWDM MD6で波長分割多重化される。波長分割多重化された下向き信号用光源Σλidsは、1×n光分岐器3で光パワー分岐されたあと光サーキュレータ(OC3)を通じてWDM MD7に伝送される。このとき、下向き信号用光源λidsの波長は、前述のWDM MD9でi 加入者の上向き信号用光源λiusと、後述する下向き光信号λidmが同じ出力ポートに分離されるように決定される。
【手続補正１４】
【補正対象書類名】明細書
【補正対象項目名】００２９
【補正方法】変更
【補正の内容】
【００２９】
波長分割多重化された下向き光信号Σλidmは、光サーキュレータ(OC3)を通じてWDM MD8に入射され、前述の上向き信号用光源Σλiusと波長分割多重化され、引き続き加入者側のWDM MD9に伝送される。
【手続補正１５】
【補正対象書類名】明細書
【補正対象項目名】００３６
【補正方法】変更
【補正の内容】
【００３６】
OLT j3に供給された各加入者の上向き信号用光源Σλiusは光サーキュレータ(OC4)を経てWDM MD16に入射され、後述する下向き光信号Σλidmと波長分割多重化される。WDM MD16は上向き信号用光源と後述する下向き光信号を波長分割多重化する。
【手続補正１６】
【補正対象書類名】明細書
【補正対象項目名】００４０
【補正方法】変更
【補正の内容】
【００４０】
波長分割多重化されてOLT j3に伝送された上向き光信号Σλiumは、WDM MD16を経て光サーキュレータ(OC4)の2番ポートに伝送され3番ポートに出力される。出力された上向き光信号Σλiumは、WDM MD15で後述する下向き信号用光源Σλidsと波長分割多重化されてWDM MD14の2番ポートに伝送される。
【手続補正１７】
【補正対象書類名】明細書
【補正対象項目名】００４２
【補正方法】変更
【補正の内容】
【００４２】
一方、第3実施形態によれば、LD5で供給された下向き信号用光源λidsは他の加入者の下向き信号用光源とWDM MD12で波長分割多重化され1×n 光分岐器5で光パワー分岐されたあと、光サーキュレータ(OC5)を通じてWDM MD15に伝送される。
【手続補正１８】
【補正対象書類名】明細書
【補正対象項目名】００４５
【補正方法】変更
【補正の内容】
【００４５】
光増幅器4で生成された下向き光信号λidmは、WDM MD13を経てWDM MD14で他の加入者の下向き光信号と波長分割多重化され、WDM MD15と光サーキュレータ(OC5)を経てWDM MD16に伝送される。
【手続補正１９】
【補正対象書類名】明細書
【補正対象項目名】００５３
【補正方法】変更
【補正の内容】
【００５３】
波長分割多重化された上向き信号用光源Σλiusは、WDM MD20に伝送され後述する下向き光信号Σλidmと分離されたあと、光サーキュレータ(OC7)を通じてWDM MD22に伝送される。
【手続補正２０】
【補正対象書類名】明細書
【補正対象項目名】００５７
【補正方法】変更
【補正の内容】
【００５７】
波長分割多重化された多数の加入者の上向き光信号Σλiumは、電話局に位置したOLTに伝送され、OLT内のWDM MD22と光サーキュレータ(OC7)及びWDM MD21を経て両方向導波路型回折格子(BD AWG)の3番ポートに入力され、各加入者の波長別に分離されλiumとして1番ポートに出力される。
【手続補正２１】
【補正対象書類名】明細書
【補正対象項目名】００６１
【補正方法】変更
【補正の内容】
【００６１】
波長分割多重化された下向き信号用光源Σλidsは、WDM MD21と光サーキュレータ(OC6)及びWDM MD20を経て両方向導波路型回折格子(BD AWG)の2番ポートに入力され、各加入者用光源に分離されλidsとして4番ポートに出力される。
【手続補正２２】
【補正対象書類名】明細書
【補正対象項目名】００６５
【補正方法】変更
【補正の内容】
【００６５】
波長分割多重化された下向き光信号Σλidmは、WDM MD20により前述の上向き信号用光源Σλiusと分離され、光サーキュレータ(OC6)を経てWDM MD22で再び前述の上向き信号用光源Σλiusと多重化され、加入者側の導波路型回折格子(AWG)に伝送されて加入者別に分離され、λidmとして2番ポートに出力されONUに伝送される。
【手続補正２３】
【補正対象書類名】図面
【補正対象項目名】全図
【補正方法】変更
【補正の内容】
【図１】
2008543213.tif 000009
【図２】
2008543213.tif 000010
【図３】
2008543213.tif 000011
【図４】
2008543213.tif 000012
【図５】
2008543213.tif 000013
【図６】
2008543213.tif 000014
【国際調査報告】
2008543213.tif 000015
2008543213.tif 000016